(57)【要約】【課題】広告としてより長い有効期間を有すると共に、広告専用の別部品を必要とせず、大型化を防止することが可能な警報器を提供する。【解決手段】ガス警報器１は、周囲環境に応じた信号を出力するセンサからの信号に基づいて周囲に異常が発生しているかを判断し、異常が発生していると判断した場合に警報を出力するものであって、前面側の上ケース２ａと後面側の下ケース２ｂとからなる筐体２を備え、上ケース２ａの表面に位置する広告表示可能領域ＡＡに、他の品物、店舗又は法人の情報を有する広告情報ＡＤが付与されている。【選択図】図１
2018097698.tif 000002
【特許請求の範囲】
【請求項１】
周囲環境に応じた信号を出力するセンサからの信号に基づいて周囲に異常が発生しているかを判断し、異常が発生していると判断した場合に警報を出力する警報器であって、
前面側の上ケースと後面側の下ケースとからなる筐体を備え、
前記上ケースの表面に位置する広告表示可能領域に、他の品物、店舗又は法人の情報を有する広告情報が付与されている
ことを特徴とする警報器。
【請求項２】
前記広告情報は、前記広告表示可能領域に印刷されるものであり、
前記広告表示可能領域は、奥行き方向の高さの差が２ｍｍ以内とされ、又は、曲面部を有する場合において当該曲面部の曲率半径が３ｍｍ以内とされた印刷ムラ低減構造を有する
ことを特徴とする請求項１に記載の警報器。
【請求項３】
前記広告表示可能領域に付与された前記広告情報は、壁面取り付け時において上下方向となる方向に伸長されたものとなっている
ことを特徴とする請求項１又は請求項２のいずれかに記載の警報器。
【発明の詳細な説明】
【技術分野】
【０００１】
本発明は、警報器に関する。
【背景技術】
【０００２】
従来、例えばガス事業者がガス外の事業（電力小売事業やリフォーム事業）をＰＲする時にチラシを作り、お客様に配布することが多いが、チラシはいずれ捨てられてしまうため、広告としての有効期間は短かった。
【０００３】
そこで、広告の有効期間を長くするために、例えばボトルの外周に取付け具を外嵌め装着し、取付け具を介してボトルに広告媒体を取り付けた給水装置が提案されている（特許文献１参照）。また、給水装置の筐体前面や側面に液晶ディスプレイを備え、広告を液晶ディスプレイにて表示するものも提案されている（特許文献２参照）。さらに、粒状体の食品を収納及び取り出し可能な容器の表面の広告スペースに広告情報が印刷されたシートを貼り付けるものも提案されている（特許文献３参照）。
【先行技術文献】
【特許文献】
【０００４】
【特許文献１】特開２００８−３０８２３４号公報
【特許文献２】特開２０１３−５６６９９号公報
【特許文献３】特開２０１６−６１９２８号公報
【発明の概要】
【発明が解決しようとする課題】
【０００５】
しかし、特許文献１に記載の広告手法では、取付け具という広告専用の別部品が必要となり、給水装置の大型化も招いてしまうものであった。また、特許文献２に記載の広告手法においても広告専用に液晶ディスプレイを設ける必要があった。
【０００６】
そこで、特許文献３に記載のように容器等の筐体に広告情報を付与することが好まれるが、食品用の容器は食品を消費してしまった場合には容器ごと捨てられることが多く、決して広告としての有効期間が長いとはいえない。
【０００７】
本発明はこのような従来の課題を解決するためになされたものであり、その発明の目的とするところは、広告としてより長い有効期間を有すると共に、広告専用の別部品を必要とせず、大型化を防止することが可能な警報器を提供することにある。
【課題を解決するための手段】
【０００８】
本発明の警報器は、周囲環境に応じた信号を出力するセンサからの信号に基づいて周囲に異常が発生しているかを判断し、異常が発生していると判断した場合に警報を出力する警報器であって、前面側の上ケースと後面側の下ケースとからなる筐体を備え、前記上ケースの表面に位置する広告表示可能領域に、他の品物、店舗又は法人の広告情報が付与されていることを特徴とする。
【０００９】
この警報器によれば、上ケースの表面に位置する広告表示可能領域に広告情報が付与されているため、各家庭等において５年間や１０年間などの長期に亘り設置される警報器自体に広告情報が付与されることとなり、広告としてより長い有効期間を有することができる。また、ケースに広告情報が付与されることから、広告専用の別部品を必要としないうえに、別部品による大型化もない。従って、広告としてより長い有効期間を有すると共に、広告専用の別部品を必要とせず、大型化を防止することができる。
【００１０】
また、本発明の警報器において、前記広告情報は、前記広告表示可能領域に印刷されるものであり、前記広告表示可能領域は、奥行き方向の高さの差が２ｍｍ以内とされ、又は、曲面部を有する場合において当該曲面部の曲率半径が３ｍｍ以内とされた印刷ムラ低減構造を有することが好ましい。
【００１１】
この警報器によれば、広告表示可能領域は印刷ムラ低減構造を有するため、曲面等を有し３次元印刷技術が必要となる警報器であっても広告情報の印刷ムラを抑えることができる。
【００１２】
また、本発明の警報器において、前記広告表示可能領域に付与された前記広告情報は、壁面取り付け時において上下方向となる方向に伸長されたものとなっていることが好ましい。
【００１３】
この警報器によれば、広告情報は、壁面取り付け時において上下方向となる方向に伸長されたものとなっているため、警報器が壁面の天井付近や床付近に設置される場合において、視認される広告情報が平たく潰れたように視認されないようにすることができる。
【発明の効果】
【００１４】
本発明によれば、広告としてより長い有効期間を有すると共に、広告専用の別部品を必要とせず、大型化を防止することが可能な警報器を提供することができる。
【図面の簡単な説明】
【００１５】
【図１】本発明の実施形態に係るガス警報器の正面図である。
【図２】図１に示すガス警報器の側面図である。
【図３】広告情報の一例を示す正面図である。
【図４】上ケースの側端の断面図である。
【発明を実施するための形態】
【００１６】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１７】
さらに、以下においてはガス警報器を警報器の一例として説明するが、これに限らず、火災警報器やガス火災一体型警報器などの他の警報器に適用されてもよい。
【００１８】
図１は、本発明の実施形態に係るガス警報器の正面図であり、図２は、図１に示すガス警報器の側面図である。図１に示すように、ガス警報器１は、周囲環境（検知対象ガスとなるガス濃度）に応じた信号を出力するガスセンサと、ガスセンサからの信号に基づいて周囲に異常が発生しているか（ガス漏れが発生しているか）を判断するＣＰＵと、ＣＰＵにより異常が発生していると判断された場合に警報音声や警報表示を行うスピーカ及びＬＥＤを備えたものである。
【００１９】
このようなガス警報器１は、図２に示すように、前面側の上ケース２ａと後面側（取り付け対象となる壁面側）の下ケース２ｂからなる筐体２を備え、筐体２内に各種部品が収納されたものである。筐体２の内部には、上記したガスセンサ、ＣＰＵ、スピーカ及びＬＥＤの他、スイッチ部材などが配線板に搭載された状態で収納されている。
【００２０】
また、ガス警報器１は、図１に示すように、上ケース２ａの上端側のうち一方の角部に押しボタン３を備えている。押しボタン３は、平面視して略二等辺三角形状となっており、上ケース２ａに形成された二等辺三角形の開口部に嵌め込まれる構成となっている。ユーザは、押しボタン３を押下することで、配線板上のスイッチ部材を操作することができる。ガス警報器１は、スイッチ操作により、点検動作を開始したり、警報を停止したりする。
【００２１】
ここで、図１に示すように、本実施形態に係るガス警報器１は、上ケース２ａの表面に位置する広告表示可能領域ＡＡを有しており、この広告表示可能領域ＡＡに広告情報ＡＤが付与されている。
【００２２】
本実施形態において広告情報ＡＤとは、例えばガス警報器１以外の他の品物（同じガス警報器であっても型番違いを含む）、店舗又は法人の情報を有する情報である。すなわち、広告情報ＡＤとは、ガス警報器１自体の機能部の名称や取扱内容等を除く概念の情報である。
【００２３】
ここで、広告情報ＡＤは、３次元の対象物に対して印刷を行う３次元印刷技術により広告表示可能領域ＡＡに付与されている。また、本実施形態に係るガス警報器１は、都市ガス向けの警報器であるため、壁面のうち天井寄りに設置される。このため、広告情報ＡＤは、広告表示可能領域ＡＡのうち下側に付与されている（上側領域よりも下側領域に多くの広告情報ＡＤが付与されている）。なお、ガス警報器１がＬＰガス向けの警報器である場合には壁面のうち床面寄りに設置されることから、広告情報ＡＤは広告表示可能領域ＡＡのうち上側に付与されていることが好ましい。
【００２４】
さらに、広告情報ＡＤは、影や側面を付与して文字・記号等を立体的に見せる３Ｄ印刷が施されていることが好ましい。また、文字等に限らず製品写真等についても３Ｄ印刷されることが好ましい。加えて、上ケース２ａの広告表示可能領域ＡＡに箔を用いて広告情報ＡＤを際立たせるようにしてもよいし、ホログラム技術を用いて見る角度によって複数の内容を視認可能としてもよい。
【００２５】
図３は、広告情報ＡＤの一例を示す正面図である。さらに、広告情報ＡＤは、壁面取り付け時において上下方向となる方向に伸長されたものとなっていることが好ましい。すなわち、広告情報ＡＤとして付与される製品の写真等については実製品よりも上下方向に長く、文字については各文字を囲う仮想的な矩形（図３において「超」の文字のみ例示的に示す符号ＶＲ）が全体として縦長の長方形となる。このような伸長された広告情報ＡＤとすることで、ガス警報器１の斜め上側や下側から広告情報ＡＤを視認した場合に、平たく潰れた表示とならず好適に視認される。
【００２６】
また、図１に示すように、広告表示可能領域ＡＡは、例えば、上ケース２ａの表面（前面側）のうち、上ケース２ａと別体となる他の部品（図１においては押しボタン３）、上ケース２ａに形成された開口４、及び上ケース２ａに形成された溝部５を除く領域をいう。なお、図１に示す例においては、複数の開口４からなる開口群４Ａが上ケース２ａに形成されているが、各開口４の間の部位４Ｂについては広告表示可能領域ＡＡとなる。同様に、複数の溝部５の間の部位５Ｂについても広告表示可能領域ＡＡとなる。
【００２７】
また、本実施形態に係るガス警報器１において広告表示可能領域ＡＡには、インク噴射方式や水圧転写方式等による広告情報ＡＤの印刷時におけるムラを抑えるための印刷ムラ低減構造が採用されている。具体的には以下の２つの構造が採用されている。
【００２８】
第１に、本実施形態に係るガス警報器１は、図２に示すように広告表示可能領域ＡＡの奥行方向における高さの差が２ｍｍ以内となっている（第１の印刷ムラ低減構造）。奥行き方向の高さの差が２ｍｍ以内となることで、広告表示可能領域ＡＡを平面に近い構造とし、印刷ムラを抑えることにつなげることができる。
【００２９】
第２に、本実施形態に係るガス警報器１は、広告表示可能領域ＡＡが曲面部を有する場合においてその曲面部の曲率半径が３ｍｍ以内とされている（第２の印刷ムラ低減構造）。図４は、上ケース２ａの側端の断面図である。図４に示すように、上ケース２ａの側端部、すなわち広告表示可能領域ＡＡの端部は、ユーザやガス事業者等の持ち易さや意匠性などが考慮されて曲面部Ｒを有した構造となっている。この曲面部Ｒについては、その曲率半径が３ｍｍ以内とされ、比較的緩やかなカーブとなっている。これにより、広告表示可能領域ＡＡにおいて急激な奥行き方向の高さ変化を抑えて、印刷ムラを抑えることにつなげることができる。
【００３０】
次に、本実施形態に係るガス警報器１の製造方法を説明する。
【００３１】
まず、広告表示可能領域ＡＡに広告情報ＡＤが付与されていないガス警報器１を製造する。このとき、広告表示可能領域ＡＡについて、奥行方向における高さの差が２ｍｍ以内とし、且つ、曲面部Ｒの曲率半径が３ｍｍ以内としたガス警報器１を製造する。
【００３２】
次に、ガス警報器１の広告表示可能領域ＡＡに対して例えばインク噴射による広告情報ＡＤの印刷を行う。この際、ガス警報器１の上下方向に伸長した広告情報ＡＤの印刷を行ったり、影や側面を付与して文字等を立体的に見せたりするなど、広告情報ＡＤの視認性を考慮した効果的な印刷を行う。
【００３３】
以上により、本実施形態に係るガス警報器１が製造される。
【００３４】
このようにして、本実施形態に係るガス警報器１によれば、上ケース２ａの表面に位置する広告表示可能領域ＡＡに広告情報ＡＤが付与されているため、各家庭等において５年間という長期に亘り設置されるガス警報器１自体に広告情報ＡＤが付与されることとなり、広告としてより長い有効期間を有することができる。また、上ケース２ａに広告情報ＡＤが付与されることから、広告専用の別部品を必要としないうえに、別部品による大型化もない。従って、広告としてより長い有効期間を有すると共に、広告専用の別部品を必要とせず、大型化を防止することができる。
【００３５】
また、広告表示可能領域ＡＡは印刷ムラ低減構造を有するため、曲面等を有し３次元印刷技術が必要となるガス警報器１であっても広告情報ＡＤの印刷ムラを抑えることができる。
【００３６】
また、広告情報ＡＤは、壁面取り付け時において上下方向となる方向に伸長されたものとなっているため、ガス警報器１が壁面の天井付近や床付近に設置される場合において、視認される広告情報ＡＤが平たく潰れたように視認されないようにすることができる。
【００３７】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００３８】
例えば、上記実施形態において広告表示可能領域ＡＡは、第１及び第２の印刷ムラ低減構造のうち双方を備えるものであるが、特に双方に限らず、いずれか一方のみを備えるものであってもよい。
【００３９】
また、本実施形態に係るガス警報器１は、広告情報ＡＤを上ケース２ａに直接印刷しているが、これに限らず、広告情報ＡＤが印刷されたシール等が貼り付けられる構成であってもよい。また、上ケース２ａに広告情報ＡＤを印刷する場合には、インク噴射方式に限らず水圧転写方式などの他の印刷技術により行われてもよい。
【００４０】
加えて、本実施形態に係るガス警報器１は、押しボタン３が上ケース２ａとは別体に設けられており、押しボタン３上が広告表示可能領域ＡＡとなっていないが、ボタン部材が上ケース２ａと一体となるガス警報器１についてはボタン部材上も広告表示可能領域ＡＡとなってもよい。
【符号の説明】
【００４１】
１    ：ガス警報器
２    ：筐体
２ａ  ：上ケース
２ｂ  ：下ケース
３    ：押しボタン
４    ：開口
４Ａ  ：開口群
５    ：溝部
ＡＡ  ：広告表示可能領域
ＡＤ  ：広告情報
Ｒ    ：曲面部
【図１】
2018097698.tif 000003
【図２】
2018097698.tif 000004
【図３】
2018097698.tif 000005
【図４】
2018097698.tif 000006